(57)【要約】  地上無線アクセスネットワーク（ＵＴＲＡＮ）が、ユーザ機器（ＵＥ）が高速データ共有チャネル（ＨＳ−ＤＳＣＨ）受信を有効セット（ＡＳ）中の他のセルに切り替えるというレイヤ３上の表示（Ｌ１／Ｌ２表示も可能）をＵＥから受信するとき、ＵＴＲＡＮはＵＥが使用している、既定の構成を用いているターゲットセル経由で再構成メッセージをＵＥに送信する。このメッセージは、ＵＥが既定の構成をさらに使用できるかあるいはたとえば新しいＨＡＲＱ情報あるいは他の周波数へのハードハンドオーバ（ＨＨＯ）を用いてまったく新しい構成を使用すべきか、という表示を含むことだけができる。構成メッセージの受信ののちＵＥは正常な再構成完了のメッセージで応答する。【選択図】図１
2008547258.tif 000002
【特許請求の範囲】
【請求項１】
無線アクセスネットワークにおいて実行する方法であって、
ユーザ機器から高速データフローの受信をあるソースセルから他のセル、すなわちターゲットセルに切り替えたいという信号表示を受信し、これに応答して、
ユーザ機器への前記データフローの伝送を前記ソースセルから前記ターゲットセルに切り替え、
ユーザ機器へ再構成メッセージを前記ターゲットセル経由で送信し、ここで前記メッセージはユーザ機器に予め構成した構成を保持することを知らせる表示を含むかあるいは無線アクセスネットワークが予め構成した構成よりも好ましいとする新しいあるいは部分的に新しい構成の表示を含んでおり、これに応答して、
ユーザ機器から再構成完了メッセージを受信することを特徴とする方法。
【請求項２】
無線アクセスネットワークが予め構成した構成よりも好ましいとする新しいあるいは部分的に新しい構成の表示が、ユーザ機器が前記高速データフローの受信において次の切り替えのために考慮するであろう、可能な新しい近隣のセルを含むことを特徴とする、請求項１記載の方法。
【請求項３】
さらに、前記高速データフローの受信を切り替えたいという前記ユーザ機器からの前記信号表示の受信と前記データフローの前記伝送の前記ソースセルから前記ターゲットセルへの前記切替との間で、所定の期間待つことを特徴とする、請求項１記載の方法。
【請求項４】
さらにまた前記再構成メッセージを前記ソースセル経由で送信し、それによって前記再構成メッセージが前記ユーザ機器へ前記ソースセルと前記ターゲットセルとの両方から多経路通信されることを特徴とする、請求項１記載の方法。
【請求項５】
さらにまた前記再構成メッセージを前記ユーザ機器へ送信し、また
前記ユーザ機器が前記高速データフローの受信において次の切り替えのためのターゲットセルとしてさらに考慮すべき新しい近隣のセルの新しい所定の構成を含むことを特徴とする、請求項１記載の方法。
【請求項６】
ユーザ機器から高速データフローの受信をあるソースセルから他のセル、すなわちターゲットセルに切り替えたいという信号表示を受信するための装置と、
前記ユーザ機器からの前記信号表示に応答して、ユーザ機器への前記データフローの伝送を前記ソースセルから前記ターゲットセルに切り替えるための切り替え装置と、
ユーザ機器へ再構成メッセージを前記ターゲットセル経由で送信し、ここでメッセージはユーザ機器に予め構成した構成を保持することを知らせる表示を含むかあるいは無線アクセスネットワークが予め構成した構成よりも好ましいとする新しいあるいは部分的に新しい構成の表示を含んでおり、また前記再構成メッセージに応答して、ユーザ機器から再構成完了メッセージを受信するための装置とを備えること特徴とする、無線アクセスネットワーク。
【請求項７】
無線アクセスネットワークが予め構成した構成よりも好ましいとする新しいあるいは部分的に新しい構成の表示が、ユーザ機器が前記高速データフローの受信において次の切り替えのために考慮するであろう、可能な新しい近隣のセルを含むことを特徴とする、請求項６記載の無線アクセスネットワーク。
【請求項８】
さらに、前記高速データフローの受信を切り替えたいという前記ユーザ機器からの前記信号表示の前記受信と前記データフローの前記伝送の前記ソースセルから前記ターゲットセルへの前記切替との間で、所定の期間待つための装置を備えることを特徴とする、請求項６記載の無線アクセスネットワーク。
【請求項９】
前記再構成メッセージを前記ユーザ機器へ送信するための装置が、また前記再構成メッセージを前記ソースセル経由で送信するための装置でもあって、それにより前記再構成メッセージが前記ユーザ機器へ前記ソースセルと前記ターゲットセルとの両方から多経路通信される、請求項６記載の無線アクセスネットワーク。
【請求項１０】
ユーザ機器において実行するための方法であって、
ユーザ機器が高速データフローの受信をあるソースセルから他のセル、すなわちターゲットセルに切り替えたいという信号表示を無線アクセスネットワークに送信し、
無線アクセスネットワークから肯定応答メッセージを受信し、
前記肯定応答メッセージの受信後、所定の期間ののち前記データフローの受信を前記ソースセルから前記ターゲットセルに切り替え、
ユーザ機器に予め構成した構成を保持することを知らせる表示を含むかあるいは無線アクセスネットワークが予め構成した構成よりも好ましいとする新しいあるいは部分的に新しい構成の表示を含む再構成メッセージを無線アクセスネットワークから受信し、これに応答して、
無線アクセスネットワークに再構成完了メッセージを送信することを特徴とする方法。
【請求項１１】
無線アクセスネットワークが予め構成した構成よりも好ましいとする新しいあるいは部分的に新しい構成の表示が、ユーザ機器が前記高速データフローの受信において次の切り替えのために考慮するであろう、可能な新しい近隣のセルを含むことを特徴とする、請求項１０記載の方法。
【請求項１２】
ユーザ機器であって、
該ユーザ機器が高速データフローの受信をあるソースセルから他のセル、すなわちターゲットセルに切り替えたいという信号表示を、無線アクセスネットワークへ送信するための装置と、
肯定応答メッセージを無線アクセスネットワークから受信するための装置と、
前記肯定応答の受信後、所定の期間ののち前記データフローの受信を前記ソースセルから前記ターゲットセルに切り替えるための装置と、
ユーザ機器に予め構成した構成を保持することを知らせる表示を含むかあるいは無線アクセスネットワークが予め構成した構成よりも好ましいとする新しいあるいは部分的に新しい構成の表示を含む再構成メッセージを無線アクセスネットワークから受信し、これに応答して、無線アクセスネットワークに再構成完了メッセージを送信するための装置を備えることを特徴とするユーザ機器。
【請求項１３】
無線アクセスネットワークが予め構成した構成よりも好ましいとする新しいあるいは部分的に新しい構成の表示が、ユーザ機器が前記高速データフローの受信において次の切り替えのために考慮するであろう、可能な新しい近隣のセルを含むことを特徴とする、請求項１２記載のユーザ機器。
【請求項１４】
ユーザ機器と通信できる無線アクセスネットワークを含むシステムにおいて実行するための方法であって、
前記ユーザ機器から前記無線アクセスネットワークに、ユーザ機器が高速データフローの受信をあるソースセルから他のセル、すなわちターゲットセルに切り替えたいという信号表示を送信し、
前記無線アクセスネットワークにおいて前記ユーザ機器から、ユーザ機器が前記高速データフローの受信を前記ソースセルから前記ターゲットセルに切り替えたいという信号表示を受信し、これに応答して前記無線アクセスネットワークが肯定応答メッセージを前記ユーザ機器に送信し、
前記ユーザ機器が前記肯定応答を無線アクセスネットワークから受信し、
前記無線アクセスネットワークがユーザ機器への前記データフローの伝送を前記ソースセルから前記ターゲットセルに切り替え、
前記ユーザ機器が前記肯定応答の受信後、所定の期間ののち前記データフローの受信を前記ソースセルから前記ターゲットセルに切り替え、
前記無線アクセスネットワークがユーザ機器へ前記ターゲットセルを経由して再構成メッセージを送信し、ここで該メッセージはユーザ機器に予め構成した構成を保持することを知らせる表示を含むかあるいは無線アクセスネットワークが予め構成した構成よりも好ましいとする新しいあるいは部分的に新しい構成の表示を含んでおり、これに応答して、
前記ユーザ機器が無線アクセスネットワークから、ユーザ機器に予め構成した構成を保持することを知らせる表示を含むかあるいは無線アクセスネットワークが予め構成した構成よりも好ましいとする新しいあるいは部分的に新しい構成の表示を含む前記再構成メッセージを受信し、これに応答して、
前記ユーザ機器が無線アクセスネットワークに再構成完了メッセージを送信する、工程群を含むことを特徴とする方法。
【請求項１５】
無線アクセスネットワークが予め構成した構成よりも好ましいとする新しいあるいは部分的に新しい構成の表示が、ユーザ機器が前記高速データフローの受信において次の切り替えのために考慮するであろう、可能な新しい近隣のセルを含むことを特徴とする、請求項１４記載の方法。
【請求項１６】
さらにユーザ機器が前記高速データフローの受信を切り替えたいという前記ユーザ機器からの前記信号表示の前記受信と前記データフローの前記伝送を前記ソースセルから前記ターゲットセルへの切替との間で無線アクセスネットワークが所定の期間待つ工程を含むことを特徴とする、請求項１４記載の方法。
【請求項１７】
ユーザ機器と通信できる無線アクセスネットワークを備えるシステムであって、さらに、
ユーザ機器が高速データフローの受信をあるソースセルから他のセル、すなわちターゲットセルに切り替えたいという信号表示を前記ユーザ機器から前記無線アクセスネットワークへ送信するための装置と、
前記無線アクセスネットワークにおいて、ユーザ機器が前記高速データフローの受信を前記ソースセルから前記ターゲットセルに切り替えたいという信号表示を前記ユーザ機器から受信するための装置とを備え、これに応答して、
前記無線アクセスネットワークが肯定応答メッセージを前記ユーザ機器に送信し、
前記ユーザ機器がさらに前記肯定応答を無線アクセスネットワークから受信するための装置を備え、
前記無線アクセスネットワークがさらにユーザ機器への前記データフローの伝送を前記ソースセルから前記ターゲットセルに切り替えるための切り替え装置を備え、
前記ユーザ機器がさらに前記肯定応答メッセージの受信後、所定の期間ののち前記データフローの受信を前記ソースセルから前記ターゲットセルに切り替えるための装置を備え、
前記無線アクセスネットワークがさらにユーザ機器へ再構成メッセージを前記ターゲットセル経由で送信するための装置を備え、ここでメッセージはユーザ機器に予め構成した構成を保持することを知らせる表示を含むかあるいは無線アクセスネットワークが予め構成した構成よりも好ましいとする新しいあるいは部分的に新しい構成の表示を含んでおり、これに応答して、
前記ユーザ機器がさらにユーザ機器に前記予め構成した構成を保持することを知らせる表示を含むかあるいは無線アクセスネットワークが予め構成した構成よりも好ましいとする前記新しいあるいは部分的に新しい構成の表示を含む前記再構成メッセージを前記無線アクセスネットワークから受信するための装置と、
これに応答して再構成完了メッセージを無線アクセスネットワークに送信するための装置とを備えることを特徴とするシステム。
【請求項１８】
無線アクセスネットワークが予め構成した構成よりも好ましいとする前記新しいあるいは部分的に新しい構成の表示が、ユーザ機器が前記高速データフローの受信において次の切り替えのために考慮するであろう、可能な新しい近隣のセルを含むことを特徴とする、請求項１７記載のシステム。
【請求項１９】
前記無線アクセスネットワークがさらに、ユーザ機器が前記高速データフローの受信を切り替えたいという前記ユーザ機器からの前記信号表示の受信と前記データフローの前記伝送を前記ソースセルから前記ターゲットセルへの切替との間で無線アクセスネットワークが所定の期間待つための手段を備えることを特徴とする、請求項１７記載のシステム。
【請求項２０】
請求項１の工程群を実行するために符号化された形でコンピュータ可読媒体に保存されたコンピュータプログラム。
【請求項２１】
請求項６の前記無線アクセスネットワークに取り付けられ、その２つまたはそれより多い要素を任意の組合せで具現する集積回路。
【請求項２２】
請求項１０の工程群を実行するために符号化された形でコンピュータ可読媒体に保存されたコンピュータプログラム。
【請求項２３】
請求項１２の前記ユーザ機器に取り付けられ、その２つまたはそれより多い要素を任意の組合せで具現する集積回路。
【請求項２４】
無線アクセスネットワークであって、
ユーザ機器が高速データフローの受信をあるソースセルから他のセル、すなわちターゲットセルに切り替えたいという信号表示をユーザ機器から受信するための手段と、
ユーザ機器からの前記信号表示に応答してユーザ機器への前記データフローの伝送を前記ソースセルから前記ターゲットセルに切り替えるための手段と、
ユーザ機器へ再構成メッセージを前記ターゲットセル経由で送信し、ここでメッセージはユーザ機器に予め構成した構成を保持することを知らせる表示を含むかあるいは無線アクセスネットワークが予め構成した構成よりも好ましいとする新しいあるいは部分的に新しい構成の表示を含んでおり、また前記再構成メッセージに応答して再構成完了メッセージをユーザ機器から受信するための手段とを備えることを特徴とするネットワーク。
【請求項２５】
さらに、ユーザ機器が前記高速データフローの受信を切り替えたいという前記ユーザ機器からの前記信号表示の受信と前記データフローの前記伝送を前記ソースセルから前記ターゲットセルへの切替との間で所定の期間待つための手段を備えることを特徴とする、請求項２４記載の無線アクセスネットワーク。
【請求項２６】
前記再構成メッセージをユーザ機器に送信するための手段がまた、前記再構成メッセージが前記ユーザ機器へ前記ソースセルと前記ターゲットセルの両方から多経路通信されるように、前記再構成メッセージを前記ソースセル経由で送信するための手段でもあることを特徴とする、請求項２４記載の無線アクセスネットワーク。
【請求項２７】
ユーザ機器であって、
該ユーザ機器が高速データフローの受信をあるソースセルから他のセル、すなわちターゲットセルに切り替えたいという信号表示を無線アクセスネットワークに送信するための手段と、
無線アクセスネットワークから肯定応答メッセージを受信するための手段と、
前記肯定応答メッセージの受信後、所定の期間ののち前記データフローの受信を前記ソースセルから前記ターゲットセルへ切り替えるための手段と、
予め構成した構成を保持することを知らせる表示を含むかあるいは無線アクセスネットワークが予め構成した構成よりも好ましいとする新しいあるいは部分的に新しい構成の表示を含む再構成メッセージを前記無線アクセスネットワークから受信し、これに応答して、再構成完了メッセージを無線アクセスネットワークに送信するための手段とを備えることを特徴とするユーザ機器。
【発明の詳細な説明】
【技術分野】
【０００１】
本発明は移動通信、特にハンドオーバの際の信号伝達に関する。
【背景技術】
【０００２】
本発明はＵＭＴＳ（ユニバーサル移動通信システム）地上無線アクセスにおけるダウンリンクパケットに関連して行われたものではあるが、それに限定されるものではなく、以下の説明はその関連に限定されないと解釈されるべきである。高速ダウンリンクパケットアクセス（ＨＳＤＰＡ）は３ＧＰＰリリース５仕様に含まれる性能であり、リリース６でさらにＦ−ＤＰＣＨと呼ばれる部分的な個別物理チャネル（ＤＰＣＨ）のサポートおよび高速ダウンリンク共有チャネルへの信号無線ベアラのマッピングのサポートについて拡張されている。
【０００３】
本発明はハンドオーバの高速化とＨＳＤＰＡについて特にＶｏＩＰ（ボイス・オーバー・インターネットプロトコル）のようなリアルタイム応用についてサービングＨＳ−ＤＳＣＨセル変更プロセスを目的として議論されているリリース７のＨＳＤＰＡ改良を対象としているが、それに限定されない。提案の１つがＲ１−０５０３２４（Ｌｕｃｅｎｔ）３ＧＰＰ  ＴＳＧ−ＲＡＮ１会議＃４０ｂｉｓ、２００５年４月４−８日、北京、中国で発表されている。
【０００４】
Ｒ１−０５０３２４で述べたように、ＵＥが開始するセル変更のためにＵＴＲＡＮがＢＴＳ（ベーストランシーバ基地局）または「ノードＢ」を予め構成する。ＵＥがレイヤ１、レイヤ２あるいはレイヤ３表示、たとえばセル変更を示すＲＲＣ（無線リソース制御）レイヤ測定リポートを送ったあと、ＵＥはターゲットセルの受信を開始する。このＵＥはソースセルとターゲットセルの両方を同時に受信できる（Ｒ１−０５０３２４）。
【発明の開示】
【発明が解決しようとする課題】
【０００５】
本発明は、ＵＥがＬ１／２／３信号におけるセル変更をＵＴＲＡＮに指示したあとＨＳ−ＤＳＣＨ受信を他の「予め構成された」セルに変更する、ＨＳ−ＤＳＣＨサービングセル変更解決法についてのＬ３信号伝達スキームを対象とするがそれに限定されない。この従来技術（Ｒ１−０５０３２４）は、ＵＴＲＡＮ（ＲＮＣ）にその変更が成功であるか、あるいはＵＴＲＡＮにセル変更に適合する可能性あるいはさらに現在の予め構成された構成を再構成する可能性を与えるかをどのように気づかせるか（特にソースおよびターゲットセルにおいてＵＴＲＡＮが多経路通信を利用するとき）という問題を解決していない。さらにこの提案されたスキームはＲＲＣを正しい状態に保つためにプロトコル対話を必要とする。
【０００６】
本発明の目的は上に説明した問題の克服にあるが、説明した特定の問題に限定されない。
【課題を解決するための手段】
【０００７】
本発明の第１の態様によれば、無線アクセスネットワーク（ＲＡＮ）における実施のための方法は、ユーザ機器（ＵＥ）が高速データフローの受信をあるソースセルから別のセル、すなわちターゲットセル、からの受信に切り替えたいという信号表示をユーザ機器から受信し、これに応答してＵＥへの前記データフローの伝送を前記ソースセルから前記ターゲットセルに切り替え、ＵＥに前記ターゲットセルを経由して再構成メッセージ（このメッセージはＵＥに予め構成した構成を保持することを知らせる表示を含むかあるいはそのＲＡＮが予め構成した構成よりも好ましいとする新しいまたは部分的に新しい構成を含むことを知らせる表示を含む）を送信し、これに応答してＵＥから再構成完了メッセージを受信する、工程群を含む。
【０００８】
さらに本発明の第１の態様によれば、そのＲＡＮが予め構成した構成よりも好ましいとする新しいまたは部分的に新しい構成の表示は、ＵＥが高速データフロー受信の次の切替に対して考慮するであろう、可能な新しい近隣のセルを含む。
【０００９】
さらになお本発明の第１の態様によれば、この方法はさらに、ＵＥが前記高速データフローの受信を切り替えたいという前記ＵＥからの前記信号表示の受信と前記データフローの前記ソースセルから前記ターゲットセルへの切替との間で所定の期間待つ工程を含む。
【００１０】
さらに本発明の第１の態様によれば、この方法はさらにまた前記ソースセルを経由して再構成メッセージを送信し、それによって前記再構成メッセージが前記ソースセルと前記ターゲットセルとから前記ＵＥに多経路通信される工程を含む。
【００１１】
さらになお本発明の第１の態様によれば、符号化されてコンピュータ可読媒体に保存されているコンピュータプログラムが、前記ＲＡＮにおける前述の１つまたは複数の工程を容易にしまた実行する、あるいはそのいずれかのために備えられている。さらに本発明の第１の態様によれば、２つあるいはそれより多くの工程を実行するために前記ＲＡＮに取り付けるための集積回路が備えられていてもよい。
【００１２】
本発明の第２の態様によれば、無線アクセスネットワークが、ユーザ機器が高速データフローの受信をあるソースセルから別のセル、すなわちターゲットセル、からの受信に切り替えたいというユーザ機器からの識別信号を受信するための装置あるいは手段と、前記ユーザ機器からの前記識別信号に応答してユーザ機器への前記データフローの伝送を前記ソースセルから前記ターゲットセルへ切り替える装置あるいは手段と、ユーザ機器に前記ターゲットセルを経由して再構成メッセージ（このメッセージはユーザ機器に予め構成した構成を保持することを知らせる表示を含むかあるいは無線アクセスネットワークＮが予め構成した構成よりも好ましいとする新しいまたは部分的に新しい構成の表示を含む）を送信し、また前記再構成メッセージに応答して再構成完了メッセージをユーザ機器から受信する装置あるいは手段を備える。
【００１３】
さらに本発明の第２の態様によれば、無線アクセスネットワークが予め構成した構成よりも好ましいとする新しいまたは部分的に新しい構成の表示が、ＵＥが高速データフロー受信の次の切替に対して考慮するであろう、可能な新しい近隣のセルを含む。
【００１４】
さらになお本発明の第２の態様によれば、無線アクセスネットワークが、ユーザ機器が前記高速データフローの受信を切り替えたいという前記ユーザ機器からの前記識別信号の受信と前記データフローの前記伝送を前記ソースセルから前記ターゲットセルへの前記切替との間で既定の期間待つための装置あるいは手段を備える。
【００１５】
さらに本発明の第２の態様によれば、再構成メッセージをユーザ機器に送るための装置あるいは手段がまた、ソースセルを経由して再構成メッセージを送信し、それによって再構成メッセージがソースセルとターゲットセルとからＵＥに多経路通信されるための装置あるいは手段でもある。
【００１６】
さらになお本発明の第２の態様によれば、集積回路が前記無線アクセスネットワークのネットワーク要素に取り付けるために備えられ、その際に前記集積回路は本発明の第２の態様による前記無線アクセスネットワークの２つまたはそれより多い要素を具現する。
【００１７】
本発明の第３の態様によれば、ユーザ機器で実行するための方法が、ユーザ機器が高速データフローの受信をあるソースセルから別のセル、すなわちターゲットセル、からの受信に切り替えたいという信号表示を送信し、無線アクセスネットワークから肯定応答を受信し、前記肯定メッセージ受信後、所定の期間ののち前記データフローの受信を前記ソールセルから前記ターゲットセルに切り替え、前記無線アクセスネットワークからユーザ機器に予め構成した構成を保持することを知らせる表示を含むかあるいはその無線アクセスネットワークが予め構成した構成よりも好ましいとする新しいまたは部分的に新しい構成の表示を含む再構成メッセージを受信し、これに応答して再構成完了メッセージを無線アクセスネットワークに送信する、工程群を含む。
【００１８】
さらに本発明の第３の態様によれば、ユーザ機器に予め構成した構成を保持することを知らせるかあるいは無線アクセスネットワークが予め構成した構成よりも好ましいとする新しいまたは部分的に新しい構成の表示を含む表示が、ＵＥが高速データフロー受信の次の切替に対して考慮するであろう、新しい近隣のセルを含む。
【００１９】
さらになお本発明の第３の態様によれば、本発明の第３の態様による２つまたはそれより多い工程を任意の組合せあるいは順序で実行するための集積回路を備える。
【００２０】
さらになお本発明の第３の態様によれば、符号化されてコンピュータ可読媒体に保存されているコンピュータプログラムを前述の工程を前記ユーザ機器で実行するために備える。
【００２１】
本発明の第４の態様によれば、ユーザ機器が高速データフローの受信をあるソースセルから別のセル、すなわちターゲットセル、からの受信に切り替えたいという信号表示を無線アクセスネットワークに送信するための装置あるいは手段と、無線アクセスネットワークから肯定応答メッセージを受信するための装置あるいは手段と、前記肯定応答の受信後、所定の期間ののち前記データフローの受信を前記ソースセルから前記ターゲットセルへ切り替えるための装置あるいは手段と、ユーザ機器に予め構成した構成を保持することを知らせる表示を含むかあるいは無線アクセスネットワークが予め構成した構成よりも好ましいとする新しいまたは部分的に新しい構成の表示を含む再構成メッセージを前記無線アクセスネットワークから受信し、またそれに応答して再構成完了メッセージを無線アクセスネットワークに送信するための装置あるいは手段を備える。
【００２２】
さらに本発明の態様によれば、ユーザ機器に予め構成した構成を保持することを知らせるかあるいは無線アクセスネットワークが予め構成した構成よりも好ましいとする新しいまたは部分的に新しい構成の表示を含む表示が、ＵＥが高速データフロー受信の次の切替に対して考慮するであろう、可能な新しい近隣のセルを含む。
【００２３】
さらになお本発明の第４の態様によれば、本発明の第４の態様による前記ユーザ機器に取り付けるための集積回路を備え、その際に前記集積回路が本発明の第４の態様による前記ユーザ機器の２つまたはそれより多い要素を任意の組合せで具現する。
【００２４】
本発明の第５の態様によれば、ユーザ機器（ＵＥ）と通信可能な無線アクセスネットワーク（ＲＡＮ）を備えるシステムで実行するための方法が、ユーザ機器が高速データフローの受信をあるソースセルから別のセル、すなわちターゲットセル、からの受信に切り替えたいという信号表示を前記ＵＥから前記ＲＡＮに送信し、前記ＲＡＮにおいてＵＥが高速データフローの受信をあるソースセルから別のセル、すなわちターゲットセルからの受信に切り替えたいという信号表示を前記ＵＥから受信し、これに応答して前記ＲＡＮが肯定応答メッセージを前記ＵＥに送信し、前記ＵＥがＲＡＮから肯定応答メッセージを受信し、前記ＲＡＮがＵＥへの前記データフローを前記ソールセルから前記ターゲットセルに切り替え、前記ＵＥが前記肯定応答メッセージの受信後、所定の期間ののち前記データフローの受信を前記ソールセルから前記ターゲットセルに切り替え、前記ＲＡＮがＵＥに前記ターゲットセル経由で再構成メッセージ（これは予め構成した構成を保持することを知らせる表示を含むかあるいはＲＡＮが予め構成した構成よりも好ましいとする新しいまたは部分的に新しい構成の表示を含む）を送信し、またそれに応答して前記ＵＥが前記ＲＡＮからユーザ機器に予め構成した構成を保持することを知らせる表示を含むかあるいはそのＲＡＮが予め構成した構成よりも好ましいとする新しいまたは部分的に新しい構成の表示を含む再構成メッセージを受信し、これに応答してＵＥが再構成完了メッセージをＲＡＮに送信する、工程群を含む。
【００２５】
さらに本発明の第５の態様によれば、ＵＥに予め構成した構成を保持するように知らせるかあるいはＲＡＮが予め構成した構成よりも好ましいとする新しいまたは部分的に新しい構成の表示を含む表示が、ＵＥが高速データフロー受信の次の切替に対して考慮するであろう、新しい近隣のセルを含む。
【００２６】
さらになお本発明の第５の態様によれば、システムの方法がさらに、前記高速データフローの受信を切り替えたいという前記ＵＥからの前記信号表示の受信と前記データフロー伝送の前記ソースセルから前記ターゲットセルへの切替との間で所定の期間ＲＡＮが待つ工程を含む。
【００２７】
本発明の第６の態様によれば、ユーザ機器（ＵＥ）と通信可能な無線アクセスネットワーク（ＲＡＮ）を備えるシステムがさらに、ＵＥが高速データフローの受信をあるソースセルから別のセル、すなわちターゲットセル、からの受信に切り替えたいという信号表示を前記ＵＥから前記ＲＡＮに送信するための装置と、前記ＲＡＮにおいて前記ＵＥが前記高速データフローの受信をあるソースセルから別のセル、すなわちターゲットセル、からの受信に切り替えたいという信号表示を前記ＵＥから受信し、これに応答して前記ＲＡＮが肯定応答メッセージを前記ＵＥに送信するための装置とを含み、前記ＵＥが前記ＲＡＮから肯定応答メッセージを受信するための装置を有し、前記ＲＡＮがＵＥへの前記データフローの伝送を前記ソールセルから前記ターゲットセルに切り替えるための装置を有し、前記ＵＥが前記肯定応答メッセージの受信後、所定の期間ののち前記データフローの受信を前記ソールセルから前記ターゲットセルに切り替えるための装置を有し、前記ＲＡＮがＵＥに前記ターゲットセル経由で予め構成した構成を保持することを知らせる表示を含むかあるいはＲＡＮが予め構成した構成よりも好ましいとする新しいまたは部分的に新しい構成の表示、およびＵＥが高速データフロー受信の次の切替に対して考慮するであろう、可能な新しい近隣のセルを含む再構成メッセージを送信するための装置を有し、またそれに応答して前記ＵＥが前記ＲＡＮからユーザ機器に予め構成した構成を保持することを知らせる表示を含むかあるいはそのＲＡＮが予め構成した構成よりも好ましいとする新しいまたは部分的に新しい構成の表示、およびＵＥが高速データフロー受信の次の切替に対して考慮するであろう、可能な新しい近隣のセルを含む再構成メッセージを受信するための装置を有し、これに応答して前記ＵＥが再構成完了メッセージをＲＡＮに送信する手段を有する。
【００２８】
さらに本発明の第６の態様によれば、ＵＥに予め構成した構成を保持することを知らせるか、ＲＡＮが予め構成した構成よりも好ましいとする新しいまたは部分的に新しい構成の表示を含む表示が、ＵＥが高速データフロー受信の次の切替に対して考慮するであろう、可能な新しい近隣のセルを含む。
【００２９】
さらになお本発明の第６の態様によれば、前記ＲＡＮがさらに前記高速データフローの受信を切り替えたいという前記ＵＥからの前記信号表示の受信と前記データフローの伝送の前記ソースセルから前記ターゲットセルへの切替との間で所定の期間待つための装置を備える。
【００３０】
本発明のこれらのまたその他の目的物、特長および利点は添付の図面に示すように以下の最良の実施形態の詳細な説明によりさらに明らかとなろう。
【発明を実施するための最良の形態】
【００３１】
図１に示すようにＵＥ１２は無線ＨＳＤＰＡダウンリンク１４ａ上でソースノードＢ１６（しばしば基地局と呼ばれる）からＨＳ−ＤＳＣＨデータ伝送を受信し、ソースノードは入れ替わりに有線ライン２０ａ上で無線ネットワークコントローラ２２からデータ伝送を受信する。このＵＥは近隣のセルからのビーコンの強度を測定しており、ソースノードＢの信号が弱くなった場合にはより強い信号が利用できる。ＵＥは示すようにライン４０上でノードＢ１６経由で測定リポートをＲＮＣ２２に送信する。このＲＮＣ２２とソースノード１６とは３ＧにおいてＵＴＲＡＮと呼ばれる無線アクセスネットワーク（ＲＡＮ）の一部を形成する。その開発段階において３ＧＰＰ（第３世代パートナーシッププロジェクト）の関連で開示されてはいるが、本発明は一般的に通信に応用できるものであり、３ＧＰＰあるいはさらに移動通信にも限定されるものではないことを認識する必要がある。
【００３２】
図１の参照に戻って、ＵＥ１２はいろいろなノード２４からのビーコンの強度の測定を行うことができる。現在のソースノードＢ１６のビーコン信号がノードＢ２６のようなその他のノードＢに比べて弱くなって来ていると判断した場合、ライン４０上でＲＮＣ２２に提供される測定リポート信号で示されるように、ＵＥはＲＮＣから提供されるデータフローに対して他のノードＢ２６がソースに成るべきであると決定することができる。この場合、ソースノードＢとして新しい役割への切り替えが行われるまで他のノードＢ２６はいわゆるターゲットノードＢとなる。図１に示すように、現在のソースノードＢ１６はライン４２上でＲＮＣ２２へＨＡＲＱ（ハイブリッド自動再送要求）の再送回数を示す信号を送信することができる。
【００３３】
図２を参照して、ライン４０ａ上でノードＢ１６を経由してハンドオーバ情報をＲＮＣ２２に送信するための装置４６を有するＵＥ１２が示されている。図２においてソースノードＢ１６とターゲットノードＢは符号２４のついた「ノードＢ」（時として複数の意味で「ノードＢ」と呼ばれる）のラベルのついた１つのブロックにまとめられている。図２は測定リポートを示しており、これは４０ａと４０ｂの２つの部分に分割されているＥ−ＤＣＨ（拡張専用チャネル）測定リポートであってもよい。これはソースノードＢ１６が、将来の進展により信号伝達Ｌ１／２／３となりうる無線信号伝達を表すライン４０ａ上で測定リポート信号の最初の部分に応答する信号プロセッサ４８を含むからである。いずれにせよ信号プロセッサ４８はアップリンク無線ライン４０ａ上で提供されるハンドオーバ情報に応答し、情報を処理し、ハンドオーバ情報をＵＥ／ノードＢから受信するために有線ライン４０ｂ上の信号としてハンドオーバ情報をＲＮＣ２２内の装置５０に提供する。装置５０はまた測定リポートを評価するための信号プロセッサを含んでもよい。ＵＥはハンドオーバを決定する役目をしても良く、あるいはその代わりに決定はノードＢあるいはＲＮＣ内で行っても良く、あるいは場合によって共同で決定しても良い。いずれにせよ装置５０はライン５４上で所定時間のタイマ５６に信号を提供し、これに対応してタイマは所定時間の計時を開始する。タイマの時間が切れるとＵＥへデータを送信させるためにライン５８上で時間切れ信号を装置２８に送る。ＲＮＣ２２の装置２８は時間切れ信号に応答し、これに対応してライン２０上でソースノードＢ１６の代わりにターゲットノードＢ２６にデータフローを送信する。言い換えると、これはノードＢ１６の送信からノードＢ２６へのハンドオーバ機能を果たす。これは今説明した意味でのデータフローのハンドオーバの一部を構成し、ノードＢ２６はそれまでのソースノードＢ１６に代わってデータの受信者となる。このような場合、ターゲットノードＢ２６は、ＵＥ１２の地理的移動に依存してその信号強度が強い間はソースノードＢとなりその役目をする。ライン５４上で装置５０からＲＮＣ内のタイマ５６への信号が元のソースノードＢ１６を経由してライン５４ａ上でＵＥにも提供されても良い場合がある。その場合、ＵＥ１２内の同様のタイマ６２がライン５４ｂ上の信号に応答し、ＲＮＣ内のタイマ５６による計時と同様の時間切れ計時を開始する。所定時間のタイマ６２が時間切れになると、時間切れ信号がライン６４上で装置３４に提供され、これは装置３４にデータフローが今やソースノードＢ１６ではなくターゲットノードＢ２６からライン１４ｂ（図１で良く判るように）上で受信されることになったことを示す。
【００３４】
図１の参照に戻って、ソースノードＢ１６からＵＥ１２へのライン５４ｂ上の信号は、上に述べたように、ソースノードＢ１６からＵＥ１２への肯定応答信号であることが特徴で、他のノードＢすなわち他のセルにあるターゲットノードＢ２６からの伝送を何時受信するかを指示する所定時間のタイマ６２を直接に始動させる結果をもたらすことができる。ターゲットノードＢ２６からのデータフローの受信は図１においてライン１４ｂ上のＨＳＤＰＡダウンリンクインタフェースにより示され、指示される伝送はＵＥ受信ウインドウへのＨＳ−ＤＳＣＨ伝送である。新しいセルでの新しいフレームの受信はタイマ６２が時間切れになったのち始まるように指示されている。図１は、図２の装置３４がターゲットノードＢ２６からデータを受信し、このデータの受信がそれから図１の参照符号７０により示されるように継続することを示す。
【００３５】
本発明による構成メッセージの説明において、構成メッセージの送達およびタイミングは必ずしもライン１４ｂ上のユーザデータのＨＳ−ＤＳＣＨ伝送と別個である必要はなく、はっきりさせる目的で別個の信号としてそのように示されていることに留意していただきたい。同様に、図２のＲＡＮからデータを受信するための装置３４および再構成情報を送受信するための装置１０２は図示のような別個の装置である必要はなく、信号プロセッサのような単一の装置に組み合わせることができる。図１の参照に戻って、またライン１４ｂ上の信号が必ずしも単純なユーザのみを含む必要はなく、参照符号９０の付いたライン上でどのような構成メッセージを伝送しても良いという事実から、ＲＮＣは再構成信号情報をできるだけ速く、すなわちユーザ機器がターゲットセルの受信を始めたら直ちに、ターゲットセルあるいはノードＢ２４を経由してユーザ機器に送信する必要があることが理解されよう。
【００３６】
本発明に従って、構成メッセージ２０ｂ、たとえば物理チャネル再構成メッセージ、はＲＮＣ２２からターゲットノードＢ２６を経由してＵＥ１２への伝送のために作成されることが図１に示されている。表示されているように、サービングＨＳ−ＤＳＣＨセル変更に関する通常のリリース５／６再構成手順のように、このメッセージは既定の構成を保持できるか（２重情報要素）あるいは新しい情報要素の組が新しい構成のために提供されるかという表示を含むことができる。表示は無線アクセスネットワークが予め構成した構成よりも好ましいとする新しいまたは部分的に新しい構成を含むことができる。それにはたとえば高速データフローの受信でユーザ機器が次に切替を考慮することができるあるいは考慮すべき可能な新しい近隣のセルを含むことができる。この構成メッセージは信号としてライン９０ａ上でＲＮＣ２２からターゲットノードＢ２６経由でＵＥ１２へ伝送されることが示されている。図２においてＲＮＣは、構成メッセージをライン９０ａ１上で図２に示されている「ノードＢ」２４の中のターゲットノードＢ２６へ伝送するための装置１００を有することが示されている。信号プロセッサ９２は構成メッセージをライン９０ａ１上で受信し、それを処理し、処理した構成メッセージをＨＡＤＰＡダウンリンク９０ａ２上でターゲットノードＢ２６からＵＥ１２内の構成情報受信のための装置１０２に提供する。述べたように、ライン９０ａ上のメッセージは無線アクセスネットワークが予め構成した構成よりも好ましいとする新しいまたは部分的に新しい構成の表示を含むことができ、これはＵＥが高速データフロー受信において次の切替に対して考慮することができるあるいは考慮すべき可能な新しい近隣のセルを指示することができる。装置１０２は構成メッセージを処理し、再構成完了メッセージをライン９０ｂ１上でターゲットノードＢ２６内の信号プロセッサ９２に送り、これは次にそれを有線ライン９０ｂ２上でＲＮＣ２２内の装置１００に転送する。ライン９０ｂ１と９０ｂ２上のメッセージは述べたように無線アクセスネットワークが予め構成した構成よりも好ましいとする新しいまたは部分的に新しい構成の表示、それはＵＥが高速データフロー受信の次の切替に対して考慮するであろう、可能な新しい近隣のセルを含む、を含むことができる。装置１００は、ライン９０ａ１上で送信された構成を使って構成が完了したかあるいは新しい構成がＵＥによって選択され、ライン９０ｂ２上でＲＮＣ２２内の装置１００に信号伝達されたかを示す再構成情報を受信することができる。
【００３７】
このようにＵＴＲＡＮがライン４０上でＵＥがＨＳ−ＤＳＣＨ受信を有効セット（ＡＳ）の中の他のセルに切り替えたいというレイヤ３（Ｌ３）メッセージ（Ｌ１／Ｌ２表示も可能）である表示をＵＥ１２から受信したとき、ＵＴＲＡＮはライン９０ａ（図１）上で再構成メッセージをノードＢ２６経由でターゲットセルに（あるいは他経路通信の場合はターゲットセルとソースセルの両方を経由して）送信する。この再構成メッセージは物理チャネル−トランスポートチャネル−に関するものあるいは無線ベアラ再構成メッセージあるいは有効セット更新メッセージのいずれかであり得る。このメッセージは、ＵＥにそれまでに予め構成された構成をさらに使用する（ＵＥが現在使用しているソースセルに対して）ために保持することを知らせる、あるいはＵＴＲＡＮがこの状況で予め構成した構成よりも好ましいとする完全に新しいまたは部分的に新しい構成およびＵＥが高速データフロー受信の次の切替に対して考慮するべき可能な新しい近隣のセルを含む、新しい表示のみを含むことができる。構成メッセージを受信したのち、ＵＥはリリース５／６で規定されているように再構成を行い、正常な再構成の完了メッセージで応答する。
【００３８】
Ｌ３の観点から見れば移動性の手順は現在と同様に保持されるが、予め構成されたセル経由で再構成の信号を送る新しい可能性が与えられている。
【００３９】
図２に示す機能ブロックは、技術に詳しい専門家には明らかなように、ソフトウエア、ファームウエアあるいはこれらの組合せによって実行することができることに留意が必要である。たとえば、ユーザ機器、無線ネットワークコントローラ、ノードＢなどに設定するために示されている１つあるいはそれより多い機能を組み合わせる集積回路を提供することができる。技術に詳しい専門家にはまた明らかなように、ハードウエアで実行されない一部のあるいはすべての機能をソフトウエアで実行することができ、そのために選択したプログラミング言語に従った命令コードが、ユーザ機器にある記憶装置あるいはネットワーク要素から取り出されたこのような命令を実行することができる中央処理装置（ＣＰＵ）を備える信号プロセッサで実行するために書かれる。一般的にこの機能を実行するためのいろいろな機能および手段を説明したが、これらの機能は請求の範囲に示されている本発明を総合して実行する、分離可能なソフトウエアおよびハードウエア要素として任意に組み合わせることができることは明らかであろう。
【００４０】
図２に示すいろいろな装置がノードＢ２４の中に示されている信号プロセッサ４８，３２，９２のような信号プロセッサあるいはノードＢ２４内の単一の同等な信号プロセッサ上で実行されるソフトウエアにより実行できることは既に説明した。このような信号プロセッサ９２は図２に詳細に示されているが、それは技術に詳しい専門家には明らかなように、図１の装置のどの装置とも信号を送受信する必要に応じて方法の１つあるいはそれより多い工程を実行するためにすべてデータ線、アドレス線および制御線によって相互結合されたＲＯＭ、ＲＡＭ、ＣＰＵ、クロック、入出力装置、その他の装置を含む多数の部品を備える。ＲＮＣ２２に示す個別の装置およびユーザ機器１２に示す個別の装置はまたＲＮＣ２２およびユーザ機器１２またはそのいずれかの中の信号プロセッサにより実行されるソフトウエアで実現できる。同様にこのような信号プロセッサは図２に示す汎用信号プロセッサの代わりに集積回路、つまり専用信号プロセッサとして実行してもよい。
【００４１】
本発明をその最良の実施形態について示しまた説明したが、技術に詳しい専門家には前述のまたさまざまなその形態や詳細におけるその他の変更、省略および付加が本発明の精神と範囲を逸脱することなく行えることが理解されよう。
【図面の簡単な説明】
【００４２】
【図１】本発明による信号（細線）とデータ（太線）を示す。
【図２】本発明によるシステムを示す。
【図１】
2008547258.tif 000003
【図２】
2008547258.tif 000004
【国際調査報告】
2008547258.tif 000005
2008547258.tif 000006
2008547258.tif 000007
2008547258.tif 000008